(57)【特許請求の範囲】
【請求項１】
チューナ部と、
前記チューナ部を介して放送を受信すると予測される時間を記憶する手段と、
該時間より所定時間前からチューナ部を間欠的に起動して同期判定を行い、同期がとれたときに、同期を維持し続ける制御手段と、
を備えることを特徴とする移動型放送受信装置。
【請求項２】
前記予測される時間は、視聴パターンから学習することを特徴とする請求項１に記載の移動型放送受信装置。
【請求項３】
前記予測される時間は、予約された時間であることを特徴とする請求項１に記載の移動型放送受信装置。
【請求項４】
放送を受信すると予測されるチャンネルに対して同期判定を行うことを特徴とする請求項１〜３のいずれかに記載の移動型放送受信装置。
【請求項５】
前記予測されるチャンネルは、視聴パターンから学習することを特徴とする請求項４に記載の移動型放送受信装置。
【請求項６】
前記予測されるチャンネルは、予約されたチャンネルであることを特徴とする請求項４に記載の移動型放送受信装置。
【請求項７】
チューナ部を介して放送を受信すると予測される時間を記憶し、該時間より所定時間前からチューナ部を間欠的に起動して同期判定を行い、同期がとれたときに、同期を維持し続けることを特徴とする放送受信方法。
【発明の詳細な説明】
【技術分野】
【０００１】
本発明は、ディジタル放送を受信する移動型放送受信装置および放送受信方法に関するものである。
【背景技術】
【０００２】
近年、携帯電話機にディジタル放送のチューナを搭載する技術が知られている（例えば、特許文献１参照）。携帯電話機でディジタル放送の特定のチャンネルを視聴するための手順は、まず、（１）チューナを特定の周波数（チャンネル）に合わせ、（２）同期信号などを検出して同期を取り、（３）放送波から映像や音声のデータを取得し、（４）それぞれのデータをデコードして、（５）ＬＣＤ（液晶ディスプレイ）やスピーカに出力する。映像や音声を出力するためには同期を取る必要があり、同期が取れていない場合、映像や音声を出力することができない。
【０００３】
また、テレビ放送波の受信機能を有する移動型放送受信装置（例えば、上述の携帯電話機）場合、受信状態のよい環境で同期を取り、そのまま移動して受信状態が悪くなっても同期を取り続けることができるが、初めからこの受信状態の悪い環境で同期を取り始めた場合、同期が取れないことが分かっている。このことは周波数を特定して同期が取れている状態で環境が変化した場合でも同じチューナの状態で次の同期信号を検出して同期が取れるのに対し、受信状態の悪い環境では周波数が完全に特定できないので、同期信号そのものを検出できないためである。
【特許文献１】特開２００５−３４１４７９号公報
【発明の開示】
【発明が解決しようとする課題】
【０００４】
上述のように、受信環境のよい場所でチューナを起動して同期が取れた状態で、受信状態の悪い場所に移動してきた放送受信装置は、視聴を継続できるが、受信環境の悪い場所で初めてチューナを起動して同期を取ろうとした放送受信装置は、同期が取れないため放送を視聴することができない場合がある。据え置き型の放送受信装置の場合、アンテナは受信環境のよい場所に設置してあるためこのようなことは起こらないが、携帯電話機のような移動型放送受信装置の場合、特定の場所だけでなくさまざまな場所（環境）で視聴し、また、移動しながら視聴する場合も考えられる。そのため受信状態の悪い環境で視聴することも想定されるので、上述のような問題が起こる。
【０００５】
また、既存のＨＤＤ（ハードディスクドライブ）レコーダやビデオデッキでは、録画予約の数分前に電源を入れ、スタンバイ状態（常時電源が入った状態）になっているものがある。ＨＤＤレコーダのように家庭などの使用を前提としているような製品では電力の供給（または、消費電力）について気にする必要はないが、移動型放送受信装置の場合、電力の供給はバッテリから行われており、電力には限りがあるため、事前に電源を入れ、視聴に備える場合でも消費電力を抑える必要がある。
【０００６】
本発明は、このような問題点に鑑みてなされたものであり、本発明の目的は、予めユーザが視聴すると予測される時間帯に同期を取っておいて、受信状態の悪い環境に移動しても同期を取ることができる移動型放送受信装置および放送受信方法を提供することにある。
【課題を解決するための手段】
【０００７】
上記目的を達成するため、本発明の移動型放送受信装置は、チューナ部と、チューナ部を介して放送を受信すると予測される時間を記憶する手段と、該時間より所定時間前からチューナ部を間欠的に起動して同期判定を行い、同期がとれたときに、同期を維持し続ける制御手段とを備えることを特徴とする。
【０００８】
予測される時間は、視聴パターンから学習することが好ましく、また、予測される時間は、予約された時間であることが好ましい。
【０００９】
また、放送を受信すると予測されるチャンネルに対して同期判定を行うことが好ましく、予測されるチャンネルは、視聴パターンから学習することが好ましく、また、予測されるチャンネルは、予約されたチャンネルであることが好ましい。
【００１０】
また、本発明の放送受信方法は、チューナ部を介して放送を受信すると予測される時間を記憶し、該時間より所定時間前からチューナ部を間欠的に起動して同期判定を行い、同期がとれたときに、同期を維持し続けることを特徴とする。
【発明の効果】
【００１１】
本発明は、ユーザの視聴パターンを学習し、ユーザが視聴すると予測される時間帯に特定のチャンネルに対し間欠受信を行い、同期がとれた場合、同期を維持し続けるので、受信状態の悪い環境に移動しても同期を取ることができ、番組を視聴することができる。
【発明を実施するための最良の形態】
【００１２】
次に、本発明の実施の形態について図面を参照して説明する。本発明は、ユーザが番組を視聴すると予測される時間帯に特定のチャンネルに対し間欠受信を行い、同期を取っておいて、受信状態の悪い環境に移動しても番組を視聴できるようにするものである。ここで間欠受信とは、テレビアプリケーションが非起動時にテレビチューナ部を間欠的に起動させ、制御部の指定するチャンネルにチューニングし、そのチャンネルに同期が取れるかどうかを判定する動作のことである。
【００１３】
図１は、本発明の移動型放送受信装置の実施の形態を示すシステム構成図である。なお、本実施の形態では、移動型放送受信装置として携帯電話機を例示して説明する。図１に示す携帯電話機は、デジタル放送用アンテナ１０１と、無線通信用アンテナ１０７と、テレビチューナ部１０２と、表示部１０３と、ＬＣＤ１０４と、視聴パターン学習部１０５と、制御部１０６と、電話部１０８と、タイマー部１０９と、メモリ１１０により構成される。さらに、メモリ１１０は、視聴パターン保存用領域１１１を備える。
【００１４】
放送波はデジタル放送用アンテナ１０１で受信され、デジタル放送用アンテナ１０１から入力されたＲＦ信号は、テレビチューナ部１０２において、制御部１０６からのチャンネル（周波数）指定に基づいてチューニングされる。制御部１０６は、周波数変換されたチャンネル信号を復調し、ＭＰＥＧのトランスポートストリーム（ＴＳ）信号にする。そして、ＴＳ信号内のパケットＩＤに基づいて音声パケット、映像バケットなどを検出し、それぞれのパケットをデコードする。音声データはマイク（図示せず）から出力され、映像データは表示部１０３を通じてＬＣＤ１０４に出力される。表示部１０３は、制御部１０６からの制御で画面イメージを作成してＬＣＤ１０４に表示する。視聴パターン学習部１０５は、ユーザがテレビアプリケーションを起動したときに起動し、ユーザがテレビ視聴している時間帯、番組、チャンネル番号などをもとに視聴パターンを作成し、その結果をメモリ１１０内にある視聴パターン保存用領域１１１に保存する。
【００１５】
次に、間欠受信の方法について図２のフローチャートをもとに説明する。間欠受信は、現在時刻が間欠受信開始時間Ｔ０からテレビチューナ停止時間Ｔ１の間行う（Ｓ１０）。間欠受信開始時間Ｔ０は、視聴パターン保存用領域１１１に保存されている視聴予想時間（開始）Ｔｓの一定時間前の時刻を示し、テレビチューナ停止時間Ｔ１は、視聴予想時間（開始）Ｔｓから一定時間経過した時刻を示す。視聴予想時間（開始）Ｔｓは、ユーザが放送を受信すると予測される時間（予約される時間を含む）である。間欠受信では、タイマー部１０９で計時しているカウンタが間欠受信間隔になったときに以下の処理を行う。
【００１６】
間欠受信の時間になったならば（Ｓ１１のＹｅｓ）、テレビアプリケーションが起動しているかを確認する（Ｓ１２）。起動している場合は、テレビチューナの制御はテレビアプリケーションが行っているので、以下の処理を行わず終了する。テレビアプリケーションが起動していない場合は、テレビチューナの電源を入れ（Ｓ１３）、視聴パターン保存用領域１１１に保存されているチャンネルにチューニングし（Ｓ１４）、同期処理を行う（Ｓ１５）。
【００１７】
同期が取れない場合（Ｓ１６の「同期しない」の場合）は、テレビチューナの電源をＯＦＦにし（Ｓ１７）、Ｓ１１に戻る。同期が取れている場合（Ｓ１６の「同期した」の場合）は、現在時刻がテレビチューナ停止時間Ｔ１になるまで、定期的にテレビアプリケーションが起動しているかを確認する（Ｓ１８、Ｓ１９）。起動した場合は、テレビチューナの制御はテレビアプリケーションが行っているので、終了する。同期が取れているときはテレビチューナの電源は入ったままである。現在時刻がテレビチューナ停止時間Ｔ１になるまでにテレビアプリケーションが起動していない場合は、テレビチューナの電源をＯＦＦにし（Ｓ２０）、終了する。
【００１８】
間欠受信開始時間Ｔ０、テレビチューナ停止時間Ｔ１、間欠受信間隔の値は時間帯ごとに異なる値を設定してもよいし、全て同じ値にしてもよい。また、これらの値はユーザが設定できるようにしてもよい。
【００１９】
図３は、間欠受信を行った場合のテレビチューナの動作を説明する図である。間欠受信開始時間Ｔ０になったならば間欠受信を行う。例えば、時刻Ｔ２で同期が取れた場合、間欠受信を終了し、テレビチューナの電源を入れたままで、テレビアプリケーションが起動するまで待機する。テレビアプリケーションが起動するまで待機した状態でテレビアプリケーションが起動した場合、テレビチューナの制御はテレビアプリケーションが行うことになる。そのためテレビチューナ停止時間Ｔ１になってもテレビチューナの電源を切らない（図３のＡ−i）。テレビアプリケーションが起動するまで待機した状態でテレビアプリケーションが起動しない場合、テレビチューナ停止時間Ｔ１になったとき、テレビチューナの電源を切る（図３のＡ−ii）。
【００２０】
間欠受信を行っている間に同期が取れない状態でテレビアプリケーションが起動した場合、テレビチューナの制御はテレビアプリケーションが行うことになる。そのためテレビチューナ停止時間Ｔ１になってもテレビチューナの電源を切らない（図３のＢ−i）。間欠受信を行っている間に同期が取れない状態でテレビアプリケーションが起動しなかった場合、テレビチューナ停止時間Ｔ１まで間欠受信を行い、Ｔ１を過ぎたらテレビチューナの電源をＯＦＦにする（図３のＢ−ii）。
【００２１】
テレビアプリケーションが起動しない場合、間欠受信動作およびテレビチューナの電源を一定時間経過後に終了することによって消費電力を抑えることができる。
【００２２】
なお、以上の動作は予定されている番組の予約録画に対して適用することが可能である。なお、この予約録画の時間を予測と定義しても良い。
【００２３】
次に、視聴パターン学習部における視聴パターンの作成方法について説明する。視聴パターン学習部１０５は、テレビアプリケーションから視聴パターン作成に必要なチャンネル番号や視聴時間などを取得する。視聴パターンはユーザがよく視聴している番組を記録するようにする。学習方法は限定しないが、例えば図４に示すような過去数週間のチャンネル、視聴開始時間、視聴終了時間、曜日からなる視聴ログから視聴パターンを作成する。視聴パターンの保存形式は限定しないが、曜日別に保存した場合の例を図５に示す。図５では、視聴パターンは、曜日、チャンネル、視聴予想時間（開始）、視聴予想時間（終了）からなる。チャンネルの下に記述されている時間が視聴予想時間（開始）Ｔｓ、視聴予想時間（終了）Ｔｅにあたる。視聴予想時間（開始）は、ユーザが放送を受信すると予測される時間である。予測される時間には予約された時間を含む。図５の例では、月〜金曜日の７：００〜８：００に８ｃｈをよく視聴していることになる。
【００２４】
この視聴パターンは、ユーザの視聴パターンの変化にあわせて更新する。更新期間は随時更新しても良いし、一定区間（例えば３ヶ月に１度）ごとに更新しても良い。視聴パターン学習部１０５で作成した視聴パターンは、視聴パターン保存用領域１１１に保存される。また、ユーザの操作によって視聴パターンは変更、削除できるようにしてもよい。
【００２５】
上述のように、本発明ではユーザの視聴パターンを学習し、ユーザが視聴すると予測（予定も含む）される時間帯に特定のチャンネルに対し間欠受信を行い、同期処理をするので、間欠受信により消費電力を抑え、予定または予測される時間帯に行うことにより更に消費電力を抑えることができる。
【００２６】
また、受信状態が悪い環境では同期が取れず、番組を視聴ができないが、受信状態がよい状態から悪い状態になっても同期は取ることができるので、本発明のように予めユーザが視聴すると予測（予定も含む）される時間帯に同期を取っておけば、受信状態の悪い環境に移動しても同期を取ることができ、したがって番組を視聴し続けることができる。結果的に、番組を視聴できない場所が減ることになる。
【００２７】
さらに、本発明ではテレビアプリケーションを起動する前にチューナはすでに起動し、同期も取れているので、テレビアプリケーションを起動してから映像・音声が出力されるまでの時間が短くなる。
【図面の簡単な説明】
【００２８】
【図１】本発明の移動型放送受信装置の実施の形態を示すシステム構成図である。
【図２】間欠受信の方法について説明するフローチャートである。
【図３】間欠受信を行った場合のテレビチューナの動作を説明する図である。
【図４】視聴パターンを作成するための視聴ログを示す図である。
【図５】視聴パターン保存用領域に記憶されている視聴パターンを示す図である。
【符号の説明】
【００２９】
１０１  デジタル放送用アンテナ
１０７  無線通信用アンテナ
１０２  テレビチューナ部
１０３  表示部
１０４  ＬＣＤ
１０５  視聴パターン学習部
１０６  制御部
１０８  電話部
１０９  タイマー部
１１０  メモリ
１１１  視聴パターン保存用領域
【図１】
0004711302.tif 000002
【図２】
0004711302.tif 000003
【図３】
0004711302.tif 000004
【図４】
0004711302.tif 000005
【図５】
0004711302.tif 000006